(57)【要約】  【課題】  複雑なメニュー選択手順を経て設定される画像形成条件であっても、操作頻度の高い画像形成条件であれば、簡単な操作で設定できるようになる画像形成装置のタッチパネル式操作装置を提供する。  【解決手段】  画像形成条件を指定する複数のメニュー選択キーと数値入力するための数値入力キーが設けられ、操作されたメニュー選択キーに応じて画像形成条件を設定する操作制御手段３０を備えた画像形成装置のタッチパネル式操作装置であって、操作制御手段３０に、メニュー選択キーの操作により確定した画像形成条件の選択頻度を管理する頻度管理手段３１と、頻度管理手段３１により管理される選択頻度が所定値を超える画像形成条件を所定数値に割り付ける数値割付手段３２と、数値入力キーから割り付けられた数値が入力されたときに対応する画像形成条件に設定する数値メニュー設定手段３３を備える。【選択図】  図１
2007136756.tif 000002
【特許請求の範囲】
【請求項１】
画像形成条件を指定する複数のメニュー選択キーと、数値入力するための数値入力キーとが設けられ、操作されたメニュー選択キーに応じて画像形成条件を設定する操作制御手段を備えて構成される画像形成装置のタッチパネル式操作装置であって、
前記操作制御手段に、前記メニュー選択キーの操作により確定した画像形成条件の選択頻度を管理する頻度管理手段と、前記頻度管理手段により管理される選択頻度が所定値を超える画像形成条件を所定数値に割り付ける数値割付手段と、前記数値入力キーから前記数値割付手段により割り付けられた数値が入力されたときに対応する画像形成条件に設定する数値メニュー設定手段とを備えている画像形成装置のタッチパネル式操作装置。
【請求項２】
操作者を識別する識別手段を備え、前記頻度管理手段は、前記識別手段により識別された操作者毎に確定した画像形成条件の選択頻度を管理する請求項１記載の画像形成装置のタッチパネル式操作装置。
【請求項３】
前記操作制御手段は、前記メニュー選択キーの操作による画像形成条件の設定モードと、前記数値入力キーの操作による画像形成条件の設定モードとにモード切り替え可能な設定モード切替手段を備えている請求項１または２記載の画像形成装置のタッチパネル式操作装置。
【請求項４】
前記数値割付手段により割り付けられた数値と対応する画像形成条件を表示する数値メニュー表示手段を備えている請求項１または２記載の画像形成装置のタッチパネル式操作装置。
【発明の詳細な説明】
【技術分野】
【０００１】
本発明は、画像形成条件を指定する複数のメニュー選択キーと、数値入力するための数値入力キーとが設けられ、操作されたメニュー選択キーに応じて画像形成条件を設定する操作制御手段を備えて構成される画像形成装置のタッチパネル式操作装置に関する。
【背景技術】
【０００２】
複写機やファクシミリ等のタッチパネル式操作入力装置では、ますます多くの機能が搭載され、各機能を選択するためのメニューキーが著しく増加する傾向にある。このような状況に対応すべく、液晶表示装置等の表示画面に透明のタッチパネルを備え、表示画面に表示されるソフトキーをタッチパネルで選択するタッチパネル式操作装置が多用されている。
【０００３】
このようなタッチパネル式操作装置によれば、機能単位に複数のメニューキーを表示したメニュー選択画面を切り替え表示することにより、面積の限られた表示画面であっても多くのメニューキーを表示しながらも操作性を向上させることができる。例えば、設定可能なメニュー毎に表示画面が階層的に切替表示されるように構成され、複雑な機能であっても一画面に表示されるメニューキーの数を低減させて使い易い画面表示を提供するようなメニュー設定のための階層構造を実現するものが実用化されている。
【０００４】
しかし、深い階層に位置する画面を利用する場合は、タッチパネル操作で順次画面を展開させ、画面展開が終わると次のキー操作を行う必要があり、一画面に対する操作は容易であるものの、同様の操作を繰り返さなければならないという煩わしさがある。このような煩わしさは、新たな操作の度に同様の操作を繰り返さなければならないという場合により顕著になる。
【０００５】
そこで特許文献１では、操作画面を表示するための表示素子と、前記表示素子上に重ねられる感圧式のタッチパネルと、前記タッチパネル上に表示されたキーの位置の押下により前記表示素子上の画面を順次展開させる手段と、少なくとも数字を入力することができるハードキーと、前記表示素子上の画面を前記ハードキーの操作により指定する画面にダイレクトに遷移させる手段とを備えた操作装置が提案されている。
【０００６】
【特許文献１】特開２００４−１８１８９５号公報
【発明の開示】
【発明が解決しようとする課題】
【０００７】
しかし、上述した従来技術では、個々のメニュー選択画面に移行するのは容易になるが、異なる複数のメニューを複合的に選択する必要のある場合には、そのような数値入力による画面遷移を繰り返す必要があり、操作者に煩雑さを与える点では従来と変わるものでは無い。
【０００８】
本発明の目的は、複雑なメニュー選択手順を経て設定される画像形成条件であっても、操作頻度の高い画像形成条件であれば、簡単な操作で設定できるようになる画像形成装置のタッチパネル式操作装置を提供する点にある。
【課題を解決するための手段】
【０００９】
上述の目的を達成するため、本発明による画像形成装置のタッチパネル式操作装置の第一の特徴構成は、特許請求の範囲の欄の請求項１に記載した通り、画像形成条件を指定する複数のメニュー選択キーと、数値入力するための数値入力キーとが設けられ、操作されたメニュー選択キーに応じて画像形成条件を設定する操作制御手段を備えて構成される画像形成装置のタッチパネル式操作装置であって、前記操作制御手段に、前記メニュー選択キーの操作により確定した画像形成条件の選択頻度を管理する頻度管理手段と、前記頻度管理手段により管理される選択頻度が所定値を超える画像形成条件を所定数値に割り付ける数値割付手段と、前記数値入力キーから前記数値割付手段により割り付けられた数値が入力されたときに対応する画像形成条件に設定する数値メニュー設定手段とを備えている点にある。
【００１０】
上述の構成によれば、頻度管理手段により管理される操作頻度の高い画像形成条件が数値割付手段により所定の数値に割り付けられ、数値入力キーから入力された数値が割り付けられた画像形成条件が数値メニュー設定手段により直ちに設定されるようになる。つまり、操作頻度の高い画像形成条件に対して毎回の複雑な操作を繰り返すことなく、数値入力キーを操作するという簡単な操作によって所望の画像形成条件に設定することができるようになるのである。
【００１１】
同第二の特徴構成は、同請求項２に記載した通り、上述の第一特徴構成に加えて、操作者を識別する識別手段を備え、前記頻度管理手段は、前記識別手段により識別された操作者毎に確定した画像形成条件の選択頻度を管理する点にある。
【００１２】
操作者が異なれば各画像形成条件に対する操作頻度も異なる。このような場合に対応して、前記識別手段により識別された操作者毎に確定した画像形成条件の選択頻度を管理することにより、操作者毎に使用頻度の高い画像形成条件を所定数値に割り付けることができ、操作者個々に対して操作性を向上させることができるようになるのである。
【００１３】
同第三の特徴構成は、同請求項３に記載した通り、上述の第一または第二特徴構成に加えて、前記操作制御手段は、前記メニュー選択キーの操作による画像形成条件の設定モードと、前記数値入力キーの操作による画像形成条件の設定モードとにモード切り替え可能な設定モード切替手段を備えている点にある。
【００１４】
設定モード切替手段によりメニュー選択キーの操作による画像形成条件の設定モードから数値入力キーの操作による画像形成条件の設定モードに切り替えられることにより数値入力キーの操作に基づく画像形成条件に設定できるようになる。
【００１５】
同第四の特徴構成は、同請求項４に記載した通り、上述の第一または第二特徴構成に加えて、前記数値割付手段により割り付けられた数値と対応する画像形成条件を表示する数値メニュー表示手段を備えている点にある。
【００１６】
上述の構成によれば、数値メニュー表示手段による表示内容に基づいて、画像形成条件とそれに対応して割り付けられた数値が確認できるようになる。
【発明の効果】
【００１７】
以上説明した通り、本発明によれば、複雑なメニュー選択手順を経て設定される画像形成条件であっても、操作頻度の高い画像形成条件であれば、簡単な操作で設定できるようになる画像形成装置のタッチパネル式操作装置を提供することができるようになった。
【発明を実施するための最良の形態】
【００１８】
以下、本発明による画像形成装置のタッチパネル式操作装置を画像形成装置としてのデジタル複写機Ａに適用した実施形態について説明する。前記デジタル複写機Ａは、図２に示すように、原稿画像を原稿画像データとして読み取る画像読取部１と、前記画像読取部１により読み取られた原稿画像データに所定の処理を施して出力画像データを生成する出力画像データ生成部２と、前記出力画像データ生成部２からの出力画像データに基づいて出力用紙である記録紙１０に画像を形成して出力する画像形成部３と、当該デジタル複写機Ａの各種複写モードを設定する複写モード設定キーや設定された複写モードで複写動作を起動するプリントキーなどが配置された本発明の画像形成装置のタッチパネル式操作装置の主要部となる操作パネル部４を備えて構成されている。
【００１９】
前記画像読取部１は、原稿が載置される原稿トレイ１２と、前記原稿トレイ１２に載置された原稿を給紙する原稿給紙部（図示せず）と、前記原稿給紙部により給紙された原稿の画像を読み取るＣＣＤリニアセンサ（図示せず）を備えて構成されている。
【００２０】
前記画像形成部３は、前記出力画像データに基づいて感光体６０にトナー画像を形成するトナー画像形成部６と、前記形成されたトナー画像が転写される記録紙１０を搬送する搬送部７と、前記転写された記録紙１０上のトナー像を内部に挿入設置された加熱ヒータ（不図示）と温度センサ（付図示）により所定温度に加熱された定着ローラ８ａにより加熱溶融して定着する定着部８を備えて構成されている。
【００２１】
前記トナー画像形成部６は、前記感光体６０と、前記感光体６０の周囲に順に配置され、表面を均一にコロナ帯電する帯電チャージャー６１と、帯電された前記感光体６０を露光して静電潜像を形成するプリントヘッド６２と、前記形成された静電潜像にトナーを静電付着させてトナー像を顕像化する現像部６３と、前記トナー像を記録紙１０に転写する転写部と、転写後に前記感光体６０に残存するトナーを除去するクリーニング部６４と、前記感光体６０表面の残留電位を落して均一にする除電ランプ６５を備えて構成されている。尚、前記現像部６３には、カラー画像を生成可能とするため、シアン、マゼンダ、イエロー、ブラックの４色の現像ブロックが配置されている。
【００２２】
前記搬送部７は、夫々サイズの異なる記録紙１０が収容された一般給紙カセット１１ａ或いは任意に異なるサイズの記録紙１０が設置される手差しカセット１１ｂから前記記録紙１０を１枚ずつ搬送する給紙搬送部７ａと、前記給紙された記録紙１０を前記転写部に搬送し、トナー像が転写された前記記録紙１０を前記定着部８に向けて搬送する転写搬送部７ｂと、前記定着部８を通過した前記記録紙１０をフェースアップで排紙トレイ９に排紙する第一排紙部７ｃと、フェイスダウン方式で排出する第二排紙部７ｄと、前記第二排紙部７ｄを経由して前記画像読取部１に搬送する第三排紙部７ｅと、両面プリント用の再搬送部７ｆを備えて構成され、夫々には搬送用のローラが設けられている。
【００２３】
前記操作パネル部４は、前記画像読取部１の手前側に配置され、図３に示すように、画像形成条件を指定する複数のメニュー選択キーがソフトウェアキーの形態で表示されるタッチパネル式のカラー液晶表示部２０と、画像形成動作を起動させるためのスタートキーや、数値入力するための数値入力キー等のハードウェアキー群２４を備えて構成されている。
【００２４】
前記ハードウェアキー群２４は、例えば、プリント枚数などを設定する数値入力キー２１、前記プリントキーとしてのスタートキー２２、クリア／ストップキー２３、カーソルキー２９、リセットキー１９等の複写動作の基本制御キー群と、特殊モード設定キー２５等により構成されている。
【００２５】
前記デジタル複写機Ａの制御部は、図４に示すように、前記画像読取部１による原稿の読取動作を制御する画像読取制御部１Ａと、前記出力画像データ生成部２と、前記画像形成部３を制御する画像形成制御部３Ａと、前記操作パネル部４の入出力信号を制御する操作制御部４Ａと、上述の各制御ブロック、つまり、前記画像読取制御部１Ａと前記出力画像データ生成部２と前記画像形成制御部３Ａと前記操作制御部４Ａの動作タイミング等を制御して原稿画像の複写動作等の実行を管理するシステム制御部５を備えて構成されている。尚、前記各制御ブロックと前記システム制御部５には、夫々ＣＰＵ及びＣＰＵによる動作プログラムが格納されたＲＯＭ等が設けられている。
【００２６】
前記画像読取制御部１Ａは、原稿給紙部１０１を駆動して前記原稿トレイ１２に載置された原稿を給紙するとともに、ＣＣＤリニアセンサ１０２により読み取られた原稿画像に対応するアナログ信号からＡ／Ｄ変換手段１０３によりデジタルデータに変換して得られた画像データに対して、所定の変換テーブルが設けられた入力画像処理手段１０４によりシェーディング補正やγ補正が施されるように構成されている。
【００２７】
前記出力画像データ生成部２は、前記入力画像処理手段１０４から出力された画像データに対して空間フィルタ処理、中間調処理、拡縮処理等の画像データ変換処理を行なう画像変換部２１ａと、前記画像変換部２１ａからの出力画像データを前記プリントヘッド６２に対する駆動信号に変換するデータ変換手段２２ａを備えて構成され、前記変換された駆動信号が前記プリントヘッド６２の駆動回路に出力されるように構成されている。
【００２８】
つまり、前記デジタル複写機Ａは、前記操作制御部４Ａにより、例えば、図５（ａ）に示すように、前記タッチパネル式のカラー液晶表示部２０に、前記画像形成部３により画像が記録される前記記録紙１０の用紙サイズやその方向（印刷の向き）、その給紙方法の設定を行う基本設定キー群５５ａ、前記画像の複写倍率や画像の複写濃度、カラー複写または白黒複写を設定するイメージ設定キー群５５ｂ、前記記録紙１０が排出されるときの前記記録紙の振り分け形態を設定する排紙設定キー群５５ｃ等の機能毎にその詳細条件を設定するメニュー選択キー５５からなる画像形成条件設定画面を表示し、前記メニュー選択キー５５や前記操作入力キー群２４を介して複写枚数、記録紙サイズ、複写倍率等を適切に設定した後に前記プリントスイッチが押圧操作されたときに、前記原稿トレイ１２に載置された原稿の複写動作を開始する。
【００２９】
即ち、前記システム制御部５は、前記画像読取制御部１Ａに原稿画像の読取りコマンドを出力して、前記画像処理部２に読取られた原稿画像データに基づいた出力画像の生成コマンドを出力し、前記画像出力制御部３Ａに画像出力コマンドを出力する。前記画像出力制御部３Ａは、前記搬送部７を駆動して前記一般給紙カセット１１ａ或いは前記手差しカセット１１ｂから記録紙１０を搬送させた後に、所定のタイミングで前記画像出力制御部３Ａに画像データ出力コマンドを出力して前記プリントヘッド６２を駆動する。そして、前記プリントヘッド６２により露光された前記感光体６０にトナー画像が形成されると、前記トナー像が前記記録紙１０に転写され、前記定着部８で定着処理された後に前記複写機外に排出される。
【００３０】
また、前記デジタル複写機Ａは、前記操作制御部４Ａに、操作された前記メニュー選択キーに応じて画像形成条件を設定する操作制御手段３０を備えている。
【００３１】
前記操作制御手段３０は、図１に示すように、前記メニュー選択キーの操作により確定した画像形成条件の選択頻度を管理する頻度管理手段３１と、前記頻度管理手段３１により管理される選択頻度が所定値を超える画像形成条件を所定の登録数値に割り付ける数値割付手段３２と、前記メニュー選択キーの操作による画像形成条件の設定モードとしての通常設定モードと前記数値入力キー２１の操作による画像形成条件の設定モードとしての簡易設定モードにモード切り替え可能な設定モード切替手段３３と、前記簡易設定モード時に前記数値入力キー２１から前記数値割付手段３２により割り付けられた数値が入力されたときに対応する画像形成条件に設定する数値メニュー設定手段３４を備えて構成されている。
【００３２】
以下、前記操作制御手段３０の動作について、図６、図７、図８のフローチャートに基づいて説明する。前記デジタル複写機Ａが起動されることで当該操作パネル部２が起動されると、前記操作制御手段３０は、前記カラー液晶表示部２０に、例えば、前記図５（ａ）に示したような画像形成条件設定画面を表示する（ＳＡ１）。
【００３３】
また、前記設定モード切替手段３３は、前記基本設定キー群５５ａ、前記イメージ設定キー群５５ｂ、前記排紙設定キー群５５ｃ等の前記メニュー選択キー５５の何れかが適宜操作されることにより機能毎にその詳細条件の設定が可能な通常設定モードに、当該デジタル複写機Ａへの操作入力方法を設定する（ＳＡ２）。
【００３４】
前記設定モード切替手段３３は、前記ハードウェアキー群２４の中で、予め設定されている特定のキー、例えば、入力切替キー２５ａが操作されると（ＳＡ３）、前記通常設定モードと詳細は更に後述する前記簡易設定モードとを切り替える。
【００３５】
つまり、前記入力切替キー２５ａが操作された際に、設定モードが前記通常設定モードであれば（ＳＡ４）、前記簡易設定モードに切り替える（ＳＡ５）。また、設定モードが前記簡易設定モードであれば（ＳＡ４）、前記通常設定モードに切り替える（ＳＡ６）。
【００３６】
前記通常設定モードでは、前記基本設定キー群５５ａ、前記イメージ設定キー群５５ｂ、前記排紙設定キー群５５ｃ等の前記メニュー選択キー５５の何れかが適宜操作されることで、前記操作に応じた各機能の詳細条件が当該操作制御手段３０により設定されるように構成されている。
【００３７】
そして、ユーザによる前記メニュー選択キーの操作により、例えば、記録紙サイズ設定機能の詳細条件として記録紙サイズをＡ４でその方向を縦方向、給紙方法設定機能の詳細条件として給紙方法を自動給紙、複写倍率設定機能の詳細条件として複写倍率を自動倍率、出力色設定機能の詳細条件としてカラー複写または白黒複写の選択をカラー複写、複写濃度設定機能の詳細条件として複写濃度を自動濃度、出力方法設定機能の詳細条件として記録紙が排出されるときの前記記録紙の振り分け形態をソートしない等といったように、各機能におけるそれぞれの詳細条件が設定され（ＳＢ１）、前記スタートキー２２が操作されると（ＳＢ２）、前記頻度管理手段３１は、前記各機能におけるそれぞれの詳細条件の組み合わせを、画像形成条件として確定するとともに（ＳＢ３）、選択頻度情報Ｉｎｆ１を更新する。
【００３８】
ここで、前記選択頻度情報Ｉｎｆ１は、図９に示すように、過去に確定したことのある複数の画像形成条件Ｔｅ（ｉ）と、前記各画像形成条件Ｔｅ（ｉ）のそれぞれが確定されたことのある回数Ｌａ、即ち、前記各画像形成条件Ｔｅ（ｉ）のそれぞれに対するカウント値Ｌａ（ｉ）との関係テーブルである。
【００３９】
つまり、前記頻度管理手段３１は、前記ステップＳＢ３において、新たに画像形成条件Ｔｅを確定すると、前記選択頻度情報Ｉｎｆ１と前記新たな画像形成条件Ｔｅ（ｉ）とを比較し、前記選択頻度情報Ｉｎｆ１に前記新たな画像形成条件Ｔｅと前記各機能における詳細条件が同一となっている画像形成条件Ｔｅ（ｉ）が含まれていないときには（ＳＢ４）、前記新たな画像形成条件Ｔｅを画像形成条件Ｔｅ（ｉ）として前記選択頻度情報に加えるとともに（ＳＢ５）、その初期値を、例えば、１にした前記新たな画像形成条件Ｔｅ（ｉ）に対応するカウント値Ｌａ（ｉ）を設定する（ＳＢ６）。一方、前記選択頻度情報Ｉｎｆ１に前記新たな画像形成条件Ｔｅと前記各機能における詳細条件が同一となっている画像形成条件Ｔｅ（ｉ）が含まれているときには（ＳＢ４）、前記新たな画像形成条件Ｔｅと前記各機能における詳細条件が同一となっている画像形成条件Ｔｅ（ｉ）に対応するカウント値Ｌａ（ｉ）をインクリメントする（ＳＢ７）。
【００４０】
尚、前記ステップＳＢ２において、前記スタートキー２２が操作されたときには、上述したように、当該デジタル複写機Ａは、別途前記システム制御部５等によって原稿の複写動作が開始される。
【００４１】
前記数値割付手段３２は、前記画像形成条件Ｔｅ（ｉ）毎にカウントされる各カウント値Ｌａ（ｉ）の何れかが、所定の選択頻度Ｎｔｈを超えると（ＳＢ８）、前記選択頻度Ｎｔｈを超えたカウント値Ｌａ（ｉ）に対応する画像形成条件Ｔｅ（ｉ）を、図１０に示すような、所定の登録数値Ｍ（ｉ）に割り付けた高頻度設定情報Ｉｎｆ２として記憶する（ＳＢ９）。
【００４２】
尚、前記数値割付手段３２は、既に前記登録数値Ｍ（ｉ）が割り付けられている画像形成条件Ｔｅ（ｉ）に対しては、前記登録数値Ｍ（ｉ）の割り付けから省くように、また、既に他の画像形成条件Ｔｅ（ｉ）に割り付けられている登録数値Ｍ（ｉ）は、新たに割り付ける登録数値Ｍ（ｉ）から省くように構成されている。つまり、特定の画像形成条件Ｔｅ（ｉ）に重複して複数の異なる登録数値Ｍ（ｉ）を割り付けることがないように、また、特定の登録数値Ｍ（ｉ）に重複して複数の異なる画像形成条件Ｔｅ（ｉ）を割り付けることがないように構成されている。ただし、必要であれば、特定の画像形成条件Ｔｅ（ｉ）に重複して複数の異なる登録数値Ｍ（ｉ）を割り付ける構成としてもよい。また、特定の画像形成条件Ｔｅ（ｉ）が新たに異なる登録数値Ｍ（ｉ）に更新されて割り付けられる構成としてもよい。
【００４３】
前記数値割付手段３２は、前記登録数値Ｍ（ｉ）に画像形成条件Ｔｅ（ｉ）を割り付けると、例えば、図５（ｂ）に示すように、前記登録数値Ｍ（ｉ）を割り付けた画像形成条件Ｔｅ（ｉ）に前記登録数値Ｍ（ｉ）を割り付けた旨の案内Ｍｅｓを表示する（ＳＢ１０）。
【００４４】
尚、前記登録数値Ｍ（ｉ）を割り付けた旨の案内Ｍｅｓは、前記スタートキー２２が操作されることにより当該デジタル複写機Ａにより別途実行されている原稿の複写動作の実行状況の有無に関わらず表示される構成としてもよいし、前記原稿の複写動作の終了の後に表示される構成としてもよい。
【００４５】
前記簡易設定モードでは、ユーザにより前記数値入力キー２１を介して数値が入力されると（ＳＣ１）、前記数値メニュー設定手段３４が、前記入力された数値に対応する前記登録数値Ｍ（ｉ）が割り付けられた前記画像形成条件Ｔｅ（ｉ）を前記高頻度設定情報Ｉｎｆ２から検索し（ＳＣ２）、前記カラー液晶表示部２０に、各機能の詳細条件が、前記検索した画像形成条件Ｔｅ（ｉ）となっている前記画像形成条件設定画面を表示する（ＳＣ３）。つまり、操作頻度の高い画像形成条件に対して毎回の複雑な操作を繰り返すことなく、数値入力キーを操作するという簡単な操作によって所望の画像形成条件に設定することができるようになっている。
【００４６】
尚、前記画像形成条件の設定、つまり、前記各機能の詳細条件の組み合わせの設定は、前記画像形成条件設定画面に全ての機能における各種詳細条件を同時に表示し、適宜各種詳細条件を操作することで前記画像形成条件設定画面のみで各機能の詳細条件を設定する構成としてもよいし、設定可能な機能毎に異なる画像形成条件設定画面を階層的に切替表示可能とするとともに、前記階層的に切替表示される各画像形成条件設定画面で、順次前記各機能における詳細条件を設定する構成としてもよい。何れにしても、選択頻度の高い画像形成条件としての各機能の詳細条件の組み合わせが所定数値に割り付けられるとともに、前記割り付けられた数値が入力されたときに、前記割り付けられた数値に対応する画像形成条件、つまり、各機能の詳細条件の組み合わせが当該デジタル複写機Ａに設定される構成となっていればよい。
【００４７】
また、前記選択頻度情報Ｉｎｆ１及び高頻度設定情報Ｉｎｆ２は、操作者毎に管理される構成としてもよい。つまり、前記操作制御手段３０に操作者を識別する識別手段を備え、前記頻度管理手段３１が、前記識別手段により識別された操作者毎に確定した画像形成条件の選択頻度を管理する構成としてもよい。
【００４８】
具体的には、図１１に示すように、当該操作パネル４の起動後に、前記識別手段により、前記カラー液晶表示部２０に、ユーザＩＤ等の入力を促すユーザＩＤ入力画面を表示するとともに（ＳＤ１）、予め登録されているユーザ情報と、前記ユーザＩＤ入力画面で入力されるユーザＩＤから操作者Ｈを識別する（ＳＤ２）。そして、前記通常設定モード時には（ＳＤ３）、前記頻度管理手段３１が前記識別した操作者Ｈ毎に、前記ステップＳＢ１から前記ステップＳＢ７と同様にして、前記選択頻度情報Ｉｎｆ１（Ｈ）を管理する（ＳＤ４）。また、前記数値割付手段３２が前記識別した操作者Ｈに対応した前記選択頻度情報Ｉｎｆ１（Ｈ）に基づいて前記識別した操作者Ｈ毎に、前記ステップＳＢ８から前記ステップＳＢ１０と同様にして、前記高頻度設定情報Ｉｎｆ２（Ｈ）を管理する（ＳＤ５）。一方、前記簡易設定モード時には（ＳＤ１）、前記数値メニュー設定手段３３が前記識別した操作者Ｈに対応した前記高頻度設定情報Ｉｎｆ２（Ｈ）に基づいて、前記ステップＳＣ１から前記ステップＳＣ３と同様にして、入力された数値に応じた画像形成条件の設定を実行する（ＳＤ６）。
【００４９】
つまり、前記識別手段により識別された操作者毎に確定した画像形成条件の選択頻度を管理することにより、操作者毎に使用頻度の高い画像形成条件を所定数値に割り付けることで、操作者個々に対して操作性を向上させることができる。
【００５０】
更に、前記高頻度設定情報Ｉｎｆ２は、所定の数値入力キー、例えば、＃キー２１ａの操作により、前記カラー液晶表示部２０に所定の時間だけ表示される構成としてもよい。前記数値割付手段３３により割り付けられた数値と対応する画像形成条件からなる前記高頻度設定情報Ｉｎｆ２を表示する数値メニュー表示手段を備えた構成とすればよい。前記数値メニュー表示手段３３による表示内容、つまり、前記高頻度設定情報Ｉｎｆ２に基づいて、画像形成条件とそれに対応して割り付けられた数値が確認できる。
【００５１】
上述した実施形態は、本発明の一例に過ぎず、各機能ブロックの具体的な構成は本発明の作用効果を奏する範囲において適宜変更設計できることはいうまでもない。
【図面の簡単な説明】
【００５２】
【図１】操作制御手段における機能ブロック構成の説明図
【図２】デジタル複写機の説明図
【図３】操作パネル部の説明図
【図４】デジタル複写機における機能ブロック構成の説明図
【図５】（ａ）画像形成条件表示画面の説明図、（ｂ）登録数値を割り付けた旨の案内の例
【図６】操作制御手段の動作を説明するためのフローチャート
【図７】操作制御手段の動作を説明するためのフローチャート
【図８】操作制御手段の動作を説明するためのフローチャート
【図９】選択頻度情報の説明図
【図１０】高頻度設定情報の説明図
【図１１】操作者を識別する識別手段を備えた場合における操作制御手段の動作を説明するためのフローチャート
【符号の説明】
【００５３】
Ａ：デジタル複写機
１：画像読取部
２：出力画像データ生成部
３：画像形成部
４：操作パネル部
３０：操作制御手段
３１：頻度管理手段
３２：数値割付手段
３３：設定モード切替手段
３４：数値メニュー設定手段
【図１】
2007136756.tif 000003
【図２】
2007136756.tif 000004
【図３】
2007136756.tif 000005
【図４】
2007136756.tif 000006
【図６】
2007136756.tif 000007
【図７】
2007136756.tif 000008
【図８】
2007136756.tif 000009
【図９】
2007136756.tif 000010
【図１０】
2007136756.tif 000011
【図１１】
2007136756.tif 000012
【図５】
2007136756.tif 000013